(57)【要約】【課題】本発明が解決しようとする課題は、印刷停止/開始時にウエブの無駄を発生させることなく、更なる印刷装置の高速化を実現させることにある。【解決手段】バッファ機構の可動バッファを保持する駆動源を有するバッファ保持部材と吸引ブロアと吸引ユニットの間に駆動源を有する吸引切替部材を設け制御することに特徴がある。このように構成することにより、印刷停止時に可動バッファを保持し、吸引ユニットの吸引エアーを遮蔽することにより、バッファ機構のウエブを吸収する限界に関わらず、ウエブを戻すことが可能となり、ウエブの無駄を作ることなく、印刷速度を高速化できるウエブ搬送を提供することが出来る。【選択図】  図１
2006098914.tif 000002
【特許請求の範囲】
【請求項１】
搬送されるウエブに画像を形成する印刷装置であって、前記ウエブに画像を記録形成する転写部と、該転写部の前段部と後段部に前記ウエブを搬送するウエブ搬送機構と、前記転写部で前記ウエブに転写されたトナーを余熱するための熱板と、該熱板とウェブとの密着性を上げるために熱板の前段に配置され吸引ブロアでウェブを吸引する吸引ユニットと、前記ウェブを加熱、加圧してトナーを前記ウエブに定着させながら前記ウエブを搬送する一対の加熱ローラと加圧ローラとからなる定着機構と、前記ウエブ搬送機構のウエブ搬送速度と前記定着機構のウエブ搬送速度との差によって発生するウエブ搬送機構と定着機構との間のウエブ長の変動を吸収し、且つウエブに張力を与えるばねと可動バッファからなるバッファ機構とを備え、駆動源を有し、可動バッファを保持できる可動バッファ保持部材と、吸引ブロアと吸引ユニットとの間に駆動源を有するエアーを遮蔽できる吸引エア切替部材を設けたことを特徴とする印刷装置。
【発明の詳細な説明】
【技術分野】
【０００１】
本発明は連続的に搬送されるウエブに画像を形成する印刷装置のウェブ搬送に係り、特に各々駆動源を有するウェブ搬送機構と定着機構でウエブを搬送する印刷装置に関する。
【背景技術】
【０００２】
連続ウエブ上に画像を形成する印刷装置においては、ウエブに画像を記録形成する転写部と、転写部の前段と後段部にウエブを搬送するウエブ搬送機構と、転写部でウエブに転写されたトナーを余熱、加熱、加圧しウエブに定着させながらウエブを搬送する定着機構とを有しているが、印刷停止時に最終頁の最後まで印刷するため、次の印刷開始時の先頭頁の先端が転写点を通過してからウエブ搬送機構は減速を開始し停止する。また、ウエブ搬送機構停止後、次の印刷を開始するため、次の印刷開始時の先頭頁の先端の位置をウエブ搬送機構が印刷プロセス速度まで加速できる助走長さ分と転写点をオーバランした長さ分を戻す必要がある。そのため、定着機構の加熱ローラと加圧ローラによるウエブ搬送をウエブを戻す長さをウエブ機構と定着機構との間に余らせるため、ウエブ搬送機構より定着機構は先に減速を開始し停止する。ウエブ機構と定着機構の間にウエブは印刷中より長く一時的に存在するため、ウエブの長さにあわせ可動バッファが印刷中の位置から大きく移動が、ウエブを戻し搬送することで、可動バッファの位置は印刷中と同じ位置にもどる。
図２に従来の印刷装置の一例を示し、以下説明する。
【０００３】
特許文献１他の従来の技術で述べられている様に、ウエブ４は転写部１へ搬送し、転写部１から送り出すウエブ搬送機構２とウエブ搬送機構２とウエブを余熱する熱板５と、印刷中は熱板５とウエブとの密着させるため、吸引ブロア９をエア源とする吸引ユニット８の後部で独立した駆動源を有した回転可能な加熱ローラ６と加圧ローラ７とからなる定着機構３のローラの回転により、印刷プロセス上をウエブ４が搬送される。ウエブ４搬送のため独立した２つの駆動源のウエブ搬送機構２と定着機構３のばらつきを吸収するため、ばね１２と回転可能な可動バッファ１１とからなるバッファ機構１０から構成されている。バッファ機構１０には、ポジションセンサ等で可動バッファ１１の傾きを認識し、ウエブ搬送機構２と定着機構３のウエブ搬送の速度差を監視し、定着機構３側の駆動源の速度を変えることにより、転写部１と定着機構３との間のウエブ長を調整してきた。また、印刷停止時にはウエブの燃焼を防止するため、加熱ローラ６とウエブを離す必要があり、加熱ローラ６と加圧ローラ７によるウエブ保持ができなくなり、前段のバッファ機構１０にウエブを引き出すのを吸引ユニット８のウエブ吸引力で保持している。
【０００４】
上記のような構成により、印刷の停止時にウエブを戻すことにより、印刷停止/開始時にウエブを無駄なく印刷することができる。しかし、印刷装置の高速化が進むにつれ、印刷開始時のウエブ搬送速度をプロセス速度へ加速するために必要とする加速長さと、印刷停止時に次の印刷の先頭頁の先端が転写点より減速を開始し、停止するまでに減速に要するオーバランの長さが長くなってきている。また、バッファ機構でウエブ搬送機構と定着機構との間のウエブの弛みを吸収するにも限界があり、ウエブを無駄なく印刷停止/開始することが困難となってきている。
【０００５】
【特許文献１】特開平９−１４６３１６号公報
【発明の開示】
【発明が解決しようとする課題】
【０００６】
本発明が解決しようとする課題は、印刷停止時のウエブ搬送機構と定着機構との間のウエブのたるみ量をバッファ機構で吸収できる様に、ウエブ搬送機構と定着機構の減速停止させ、次の印刷開始時の加速に必要な助走長さを満足できるだけウエブを戻し搬送することでウエブの無駄を作ることなく印刷させることによる。
【課題を解決するための手段】
【０００７】
上述の課題を解決するために本発明は、バッファ機構の可動バッファを保持する駆動源を有するバッファ保持部材と吸引ブロアと吸引ユニットの間に駆動源を有する吸引切替部材を設け制御することに特徴がある。
このように構成することにより、印刷停止時に可動バッファを保持し、吸引ユニットの吸引エアーを遮蔽することにより、バッファ機構のウエブを吸収する限界に関わらず、ウエブを戻すことが可能となり、ウエブの無駄を作ることなく、印刷速度を高速化できるウエブ搬送を提供することが出来る。
【発明の効果】
【０００８】
本発明によれば印刷停止時のウエブ戻し量を、バッファ機構のメカニカルな制約と無関係にウエブを戻すことが可能となる。その結果、更なるこ高速な印刷装置を提供することが可能となる。
【発明を実施するための最良の形態】
【０００９】
本発明の一実施例を図１に示す。ウエブ４は転写部１へ搬送し、転写部１から送り出すウエブ搬送機構２とウエブ搬送機構２と独立した駆動源を有した回転可能な加熱ローラ６と加圧ローラ７とからなる定着機構３のローラの回転により、印刷プロセス上をウエブ４が搬送される。ウエブ４搬送のため独立した２つの駆動源のウエブ搬送機構２と定着機構３のばらつきを吸収するため、ばね１２と回転可能な可動バッファ１１とからなるバッファ機構10から構成されている。バッファ機構10には、ポジションセンサ等で可動バッファ１１の傾きを認識し、ウエブ搬送機構２と定着機構３のウエブ搬送の速度差を監視し、定着機構3側の駆動源の速度を変えることにより、転写部１と定着機構３との間のウエブ長を調整してきた。
本発明の一実施例として、バッファ機構１０のばね１２の力を打ち消す方向に例えばソレノイド等の可動バッファ保持部材１３を配置し、吸引ブロア９と吸引ユニット８の間にエアバルブ等の吸引エア切替部材１４を配置する。本構成における印刷停止時の動作の一例を説明する。印刷停止時の最終頁の転写を終了し、次の印刷開始頁の先端が転写点を通過後に、ウエブ搬送機構と定着機構のウエブ搬送の減速をほぼ同時に開始し、可動バッファ１１の位置が印刷中と変わらない様にウエブ搬送機構と定着機構のウエブ搬送を停止させる。ウエブ搬送停止後、可動バッファ保持部材１３により可動バッファ１１を保持し、次に吸引ユニット８の吸引エアーを吸引エアー切替部材１４により、吸引ブロア９から遮蔽し、吸引ユニット８のウエブ保持力を無くす。次にウエブ搬送機構により、ウエブ戻し搬送を行い、次の印刷の先頭頁の先端が印刷開始位置に到達したら、吸引エア切替部材１４を切替、吸引ユニット８の吸引ブロア９のエア吸引を再開させ、可動バッファ保持部材１３により可動バッファ１１の保持を解除し、次印刷の準備を完了させる。
【図面の簡単な説明】
【００１０】
【図１】本発明印刷装置の一実施例を示す概略構成図である。
【図２】従来技術印刷装置の一実施例を示す概略構成図である。
【符号の説明】
【００１１】
１…転写部、２…ウエブ搬送機構、３…定着機構、４…ウエブ、５…熱板、６…加熱ローラ、７…加圧ローラ、８…吸引ユニット、９…吸引ブロア、１０…バッファ機構、１１…可動バッファ、１２…ばね、１３…可動バッファ保持部材、１４…吸引エア切替部材である。
【図１】
2006098914.tif 000003
【図２】
2006098914.tif 000004